(57)【要約】      （修正有）【課題】グリップ内に収納した錘の重量の加減と、ロープの長さを容易に調節することができる縄跳びを提供する。【解決手段】所定の長さを有するロープ１の端部に手で握るグリップ２が取り付けられている。前記グリップ２内には、前記ロープ１の端部を保持するとともに、一つ以上の錘収納室４ｄを有するホルダ４が収納されている。ロープ１の端部を保持するホルダ４により、ロープ１の保持位置を容易に変えることができるから、ロープ１の長さを極めて容易に調節することができる。ホルダ４の一つ以上の錘収納室４ｄに錘３を全く入れない状態と錘３を一つないしそれ以上入れる等の異なるパターンの使い方ができ、自分に最適な重さを選択でき、より簡単にうまく跳べるのみならず、難易度の高い二重跳びが跳びやすい。【選択図】図４
0003180355.tif 000002
【実用新案登録請求の範囲】
【請求項１】
所定の長さを有するロープ１の端部に手で握るグリップ２が取り付けられており、前記グリップ２内には、前記ロープ１の端部を保持するとともに、錘３を収納し得るホルダ４を備えていることを特徴とする縄跳び。
【請求項２】
ホルダ４には一つ以上の錘収納室４ｄ’を備えていることを特徴とする請求項１記載の縄跳び。
【請求項３】
ホルダ４は抱き合わせ可能な二つ割りになっており、その基端部が連接されていることを特徴とする請求項１または２記載の縄跳び。
【請求項４】
グリップ２を楕円形とし、その外周面の一部に指掛部２ｃを設けたことを特徴とする請求項１記載の縄跳び。
【請求項５】
グリップエンドにエンドキャップ６が着脱自在に備えられていることを特徴とする請求項１または４記載の縄跳び。
【請求項６】
ロープ１に筒状の部材７を取り付けておくことを特徴とする請求項１記載の縄跳び。
【考案の詳細な説明】
【技術分野】
【０００１】
本考案は、所定の長さを有するロープの端部に手で握るグリップが取り付けられた縄跳びの改良に関するものである。
【背景技術】
【０００２】
縄跳びはグリップを握ってロープを回して跳びはねるものであり、従来から様々な工夫や改良が加えられ、多くの技術が公開されている。
【０００３】
その中で、グリップ内に錘を収納し、その重量を加減させ得るようにしたものが存在する(例えば、特許文献１参照)。
【先行技術文献】
【特許文献】
【０００４】
【特許文献１】実開昭５９−１７７４５７号公報
【考案の概要】
【考案が解決しようとする課題】
【０００５】
しかしながら、特許文献１記載の縄跳びにあっては、グリップ内に収納した錘の重量を加減することができるが、重量の加減に手間を要するなどその作業が極めて厄介である。特に、ロープの長さを極めて容易に調節することができないという欠点を有している。
【０００６】
本考案は、これらの欠点を解消することを目的とするものである。
【課題を解決するための手段】
【０００７】
上記目的を達成するために、本考案においては、所定の長さを有するロープ１の端部に手で握るグリップ２が取り付けられており、前記グリップ２内には、前記ロープ１の端部を保持するとともに、錘３を収納し得るホルダ４を備えている。この構成によれば、グリップ２内に収納されていてロープ１の端部を保持し得るホルダ４により、ロープ１の保持位置を容易に変えることができるから、ロープ１の長さを極めて容易に調節することができる。また、ホルダ４内に錘３を収納することにより、その重みでグリップ２を回転させやすい。
【０００８】
ホルダ４には一つ以上の錘収納室４ｄ’を備えていることが望ましい。このようにすると、ホルダ４の一つ以上の錘収納室４ｄ’に錘３を全く入れない状態と錘３を一つないしそれ以上入れる等の異なるパターンの使い方ができ、自分に最適な重さを選択でき、より簡単にうまく跳べるのみならず、難易度の高い二重跳びが跳びやすい。
【０００９】
ホルダ４は抱き合わせ可能な二つ割りになっており、その基端部が連接されているものとすると良い。このようにすると、抱き合わせ可能な二つ割りのホルダ４の構成部材を失うことがないのみならず、ホルダ４内に錘３を収納しやすい。また、ホルダ４内から錘３を取り出して重さを調整しやすいのみならず、その数を増減させやすい。
【００１０】
グリップ２を楕円形とし、その外周面の一部に指掛部２ｃを設けておくと良い。このようにすると、グリップ２を握りやすいのみならず、指掛部２ｃに指をしっかり固定できるので力が入りやすい。
【００１１】
グリップエンドにエンドキャップ６が着脱自在に備えられていることが好ましい。このようにすると、錘３を収納したホルダ４がグリップ２から飛び出すのを防止できる。
【００１２】
ロープ１に筒状の部材７を取り付けておくのが良い。このようにすると、グリップ２を握ってロープ１を回したときロープ１が直接接地しないので筒状のこの部材７でロープ１を保護できるのみならず、ロープ１を回したときに遠心力が付くので跳びやすくなる。
【考案の効果】
【００１３】
請求項１記載の考案によれば、グリップ２内に収納されていてロープ１の端部を保持し得るホルダ４により、ロープ１の保持位置を容易に変えることができるから、ロープ１の長さを極めて容易に調節することができる。また、ホルダ４内に錘３を収納することにより、その重みでグリップ２を回転させやすい。
【００１４】
請求項２記載の考案によれば、ホルダ４の一つ以上の錘収納室４ｄ’に錘３を全く入れない状態と錘３を一つないしそれ以上入れる等の異なるパターンの使い方ができ、自分に最適な重さを選択でき、より簡単にうまく跳べるのみならず、難易度の高い二重跳びが跳びやすい。
【００１５】
請求項３記載の考案によれば、抱き合わせ可能な二つ割りのホルダ４の構成部材を失うことがないのみならず、ホルダ４内に錘３を収納しやすい。また、ホルダ内４から錘３を取り出して重さを調整しやすいのみならず、その数を増減させやすい。
【００１６】
請求項４記載の考案によれば、グリップ２を握りやすいのみならず、指掛部２ｃに指をしっかり固定できるので力が入りやすい。
【００１７】
請求項５記載の考案によれば、錘３を収納したホルダ４がグリップ２から飛び出すのを防止できる。
【００１８】
請求項６記載の考案によれば、グリップ２を握ってロープ１を回したときロープ１が直接接地しないので筒状のこの部材７でロープ１を保護できるのみならず、ロープ１を回したときに遠心力が付くので跳びやすい。
【図面の簡単な説明】
【００１９】
【図１】本考案による縄跳びの一例を示す全体の平面図である。
【図２】グリップ内に収納されるホルダとその先に嵌着させる回転筒とを示す平面図で、(a)は抱き合わせ可能な二つ割りのホルダを開いた状態で示し、(b)は回転筒の一部を切り欠いた状態で示す。
【図３】ホルダとその先に回転筒を嵌着させてグリップ内に収納した状態を示す横断面図で、錘収納室に錘が収納されていない場合を示す。
【図４】ホルダでロープの端部を保持した状態を示すグリップの縦断面図で、ホルダの２つの錘収納室にそれぞれ錘を収納するとともに、グリップエンドからエンドキャップを外した状態で示す。
【図５】図４の左側面図である。
【図６】図４の一部を拡大して示す縦断面図である。
【図７】錘の交換方法を工程順に説明するための側面図で、(a)はグリップエンドからエンドキャップを外し、ロープの端部を保持したホルダを回転筒とともにグリップの開口部からロープとともに引き出したところを、(b)はホルダを引っ張ってその先端に嵌着されている回転筒と分離したところを、(c)は抱き合わせ可能な二つ割りのホルダの錘収納部の蓋部を開いたところをそれぞれ示す。
【考案を実施するための形態】
【００２０】
本考案による縄跳びの一例を図面に基づいて詳細に説明する。図１に示すように、本考案による縄跳びも、従来の場合と同様に、所定の長さを有するロープ１の両端部に手で握る一対のグリップ２，２が取り付けられたものである。グリップ２は、図３、図４あるいは図６に示すように、先端に孔２ａを備え、また、グリップエンド側の開口部２ｂにエンドキャップ６が着脱自在に取り付けられたものである。
【００２１】
ここには、ロープ１の端部にグリップ２を取り付けるに当って、グリップ２内に前記ロープ１の端部を保持するとともに、錘３を収納し得るホルダ４を備えた場合が例示されている。ホルダ４について詳細に説明すると、図２(a)に示すように、ロープ１を２本押え付けた状態で差し込み得る孔を有するロープ挿通用の筒体４ａを先側に備え、それに続いて前記筒体４ａから差し込んだ１本のロープ１を通すための通し孔４ｂを備えている。そして、前記筒体４ａに続く筒部４ｃは前記通し孔４ｂ付近の上下を開口してある。
【００２２】
さらに、前記筒部４ｃに続いて横円筒体を上下２つ割りした下半分に相当する錘収納部４ｄを備えている。この錘収納部４ｄには、図２(a)に示すように、同じ大きさで同じ重さの錘３を１つずつ収納するために隔壁４ｅで仕切られた２つの錘収納室４ｄ’，４ｄ’を有している。したがって、この錘収納部４ｄには、最大２つまで錘３を収納することができる。もっとも、この錘収納部４ｄの２つの錘収納室４ｄ’，４ｄ’に錘３を入れない場合も有り得る。そして、この錘収納部４ｄの上方を覆う上下２つ割りの上半分が蓋４ｆになっており、前記錘収納部４ｄと蓋４ｆの基端部が図２(a)の縦線で示す部分において連接されている。
【００２３】
前記錘収納部４ｄの上方を覆う上下二つ割りの上半分である蓋４ｆ（開いた状態を示す図２(a)では、右側に現れる）からは、これと一体的に水平方向のロープ押え片４ｇが延び出させてある。このロープ押え片４ｇは前記筒部４ｃ部を開口した部分に上からぴったり嵌り込む大きさと長さを有している。そして、このロープ押え片４ｇの下面（平面図である図２(a)では、上面に現れる）には、図２(a)、図６に示すように、複数本の抜け止め４ｈ，４ｈが幅方向にわたって形成されている。
【００２４】
一方、このような構造を有するホルダ４の筒体４ａ及び筒部４ｃ部分には、回転筒５を嵌着させることができる。この回転筒５はホルダ４の筒体４ａ及び筒部４ｃを差し込み得る径を有する大径筒部５ａとこの先側に連続する小径筒部５ｂとからなる円筒形であり、図２(b)に示すように、その先側の小径筒部５ｂの孔は前記ロープ１が１本挿通させ得る程度に細くなっている。そして、この回転筒５の大径筒部５ａの内面には、全周にわたって凹溝５ｃが形成されている。前記ホルダ４の筒体４ａ及び筒部４ｃ部分にこの回転筒５の大径筒部５ａを嵌着させたとき、前記ホルダ４の筒部４ｃの外周面に形成されている突条４ｉがこの凹溝５ｃに嵌入せしめられる。したがって、ホルダ４に嵌着された回転筒５はホルダ４に対して回転可能である。なお、この凹凸の位置関係は逆でも良い。
【００２５】
次に、前記ホルダ４と回転筒５とを用いてロープ１の端部を保持するとともに、前記グリップ２内にこれらの部材を収納してロープ１の端部にグリップを取り付けるための取り付け方、ならびに、ホルダ４の各部材の働き等について、詳細に説明する。所定の長さを有するロープ１の端部は２つであるから、本来、その両方においてそれぞれ以下に説明するようにグリップ２を取り付けるが、ここではその一方における取り付け方のみについて説明する。
【００２６】
まず、グリップ２のグリップエンド側の開口部２ｂに嵌着されているエンドキャップ６を外した上で、グリップ２の先端の孔２ａからロープ１の端部を差し込んでグリップエンド側の開口部２ｂから引き出す。次に、ホルダ４の抱き合わせ可能な二つ割りの上半分である蓋４ｆを開けた状態で、回転筒５の先端側の小径筒部５ｂの孔からロープ１を通し、さらに、ホルダ４の筒体４ａにロープ１の端部を差し込むとともに、その後方に位置する通し孔４ｂに通して反対側に折り返す。そして、ホルダ４の錘収納部４ｄの２つの錘収納室４ｄ’，４ｄ’に錘３を入れる必要がある場合にはその中に錘３を入れ、錘３を入れる必要がない場合はそのまま蓋４ｆを閉じる。
【００２７】
すると、図６に示すように、前記筒部４ｃを開口した部分にロープ押え片４ｇが上からぴったり嵌り込み、その下面に形成されている複数の抜け止め４ｈ，４ｈが筒部４ｃ内に位置するロープ１の端部に食い込み、ロープ１の抜け止めが防止され、ホルダ４でロープ１の端部が強固に保持される。その後、ホルダ４の筒体４ａ及び筒部４ｃ部分にロープ１の途中が挿通されている前記回転筒５の大径筒部５ａを嵌着させる。
【００２８】
すると、ホルダ４の先側に回転筒５が嵌着されて一体となるので、グリップ２の先端の孔２ａから出ているロープ１を引っ張ると、両者が一体となった状態でグリップ２内に引っ張り込まれる。そして、グリップ２の前記孔２ａから回転筒５の先側の小径筒部５ｂが一部突出するまでロープ１を引き出すと、図４、図６に示すように、グリップ２内の先側に回転筒５とホルダ４とが納まり、ロープ１の端部にグリップ２が取り付けられた状態となる。この場合において、前記ホルダ４の筒部４ｃの外周面に形成されている突条４ｉが前記凹溝５ｃに嵌入せしめられている。
【００２９】
この状況はロープ１の左右両端側（図１の左右）においていずれも同じであって、両手で左右一対のグリップ２，２を握ってロープ１を回すと、グリップ２内に位置するホルダ４とこのホルダ４に嵌着されている回転筒５とがグリップ２内で回転するので、ロープ１をスムーズかつ軽く回転させることができ、この縄跳びを使って簡単にうまく跳べる。
【００３０】
一方、グリップ２内の先側に回転筒５とホルダ４とが納まり、ロープ１の端部にグリップ２が取り付けられている状態から、ホルダ４の錘収納部４ｄの錘収納室４ｄ’，４ｄ’に収納されている錘３の重さを変えるには、先ほどの場合と全く逆の操作を行えば良い。  すなわち、図４(a)に示すように、グリップ２のグリップエンドに嵌着されているエンドキャップ６を外し、図７(a)に示すように、回転筒５が嵌着されているホルダ４をグリップ２の開口部２ｂからロープ１とともに取り出す。そして、図７(b)に示すように、先ほどとは逆の操作でホルダ４から回転筒５を外し、同図(c)に示すように、抱き合わされている錘収納部４ｄの上方を覆っている蓋４ｆを開ける。すると、前記錘収納室４ｄ’，４ｄ’から錘３を簡単に取り除くことができ、逆に、その中に錘３を簡単に追加することができる。このようにすれば、錘３の交換ないし重さの変更を極めて簡単に行うことができる。
【００３１】
前記錘収納室４ｄ’，４ｄ’に収納する錘３については、大きさ、重さを左右とも全て同じにするのがグリップ２を握って跳ぶのに最もバランスが良いのみならず、製造面及びコスト面でも好ましいが、重さについては左右とも錘収納室４ｄ’，４ｄ’ごとに異なる重さの錘３，３を入れても良い。後者のようにした場合には、自分に最適な重さの微妙な選択枝が増えるので、さらにうまく跳べるのみならず、難易度の高い二重跳びがさらに跳びやすい。
【００３２】
なお、上述したように、ロープ１の端部をホルダ４の筒体４ａに差し込むとともに、その後方に位置する通し孔４ｂに通して反対側に折り返しているが、その折り返し量を変更すれば、ロープ１の多少の長さ調節が可能である。ロープ１の長さを跳びやすい長さにするためには、このロープ１の端部を適宜カットし、カットされて長さ調整されたロープ１の端部を上述したように通し孔４ｂに通して反対側に折り返し、複数の抜け止め４ｈ，４ｈを食い込ませれば良い。
【００３３】
ここでは、錘収納部４ｄが、図２(a)に示すように、同じ大きさの錘３を１つずつ収納するために隔壁４ｅで仕切られた２つの錘収納室４ｄ’，４ｄ’を有しており、最大２つまで錘３を収納することができるようにした場合が例示されている。このようにした場合には、ホルダ４の２つの錘収納室４ｄ’，４ｄ’に錘３を全く入れない状態と錘３を一つないし２つ入れる等の異なるパターンの使い方ができ、自分に最適な重さを選択でき、より簡単にうまく跳べるのみならず、難易度の高い二重跳びが跳びやすい。
【００３４】
また、ここでは、ホルダ４は抱き合わせ可能な上下２つ割りになっており、その下半分である錘収納部４ｄと上半分である蓋４ｆの基端部が図２(a)の鎖線で示す部分において連接された場合が例示されている。このようにした場合には、抱き合わせ可能な二つ割りのホルダ４の構成部材、すなわち、上下に分離している場合の錘収納部４ｄと蓋４とを失うことがないのみならず、錘収納部４ｄ内の錘収納室４ｄ’，４ｄ’に錘３を収納しやすい。また、錘収納部４ｄ内の錘収納室４ｄ’，４ｄ’から錘３を出して重さを調整しやすいのみならず、その数を増減させやすい。
【００３５】
さらに、ここでは、図５に示すように、グリップ２を楕円形とし、その外周面の一部に指掛部２ｃを設けた場合が例示されている。このようにした場合には、グリップ２を握りやすいのみならず、指掛部２ｃに指をしっかり固定できるので力が入りやすい。
【００３６】
なお、図１および図７(a)において斜め方向に交差する線を描いてある部分は、グリップ２のシボ加工を施す範囲を示すが、グリップ２のこの範囲をシボ加工しておけばグリップ２を握ったとき滑らないので、うまく跳べる。前記指掛部２ｃとこのシボ加工とを併用すれば、さらにうまく跳べる。
【００３７】
一方、ここに示す縄跳びでは、図４に示すように、グリップ２のグリップエンドにエンドキャップ６が着脱自在に備えられている。このようにすると、錘収納部４ｄの錘収納室４ｄ’，４ｄ’に錘３を収納したホルダ４とこの先端に嵌着されている回転筒５がグリップ２から飛び出すのを防止できる。グリップ２のグリップエンドに対してエンドキャップ６を着脱自在とするに当って、ここでは、同図に示すように、エンドキャップ６の対向する外周面に縦方向の突条６ａ，６ａを設け、両突条６ａ，６ａがグリップ２のグリップエンドの内周面に形成された縦方向の凹溝２ｄ，２ｄに嵌入させることができるようにしてある。なお、この凹凸の位置関係は逆でも良い。
【００３８】
図４において、図面符号６ｂはエンドキャップ６の左右両側に設けられた掛止突起で、エンドキャップ６をグリップ２のグリップエンドに装着したとき、グリップ２のグリップエンドに対向して形成されている切欠部２ｅ，２ｅに位置する。
【００３９】
また、ここに示す縄跳びでは、図１に示すように、ロープ１に筒状の部材７が取り付けられている。このようにすると、グリップ２を握ってロープ１を回したときロープ１が直接接地しないので筒状のこの部材７でロープ１を保護できるのみならず、ロープ１を回したときに遠心力が付くので跳びやすくなる。
【００４０】
錘３は円柱状の重りであるが、図４、図６および図７(c)において点線で示すように、貫通孔３ａを軸芯方向に形成しておくと、この貫通孔３ａが空気孔になって万が一錘３を飲み込んでも安全である。
【００４１】
なお、図１における図面符号２ｆは、グリップ２の先側胴部外面に形成した名前シール貼付スペースで、名前を記入したシールをここに貼付することができる。
【符号の説明】
【００４２】
１…ロープ、２…グリップ、２ｃ…指掛部、３…錘、４…ホルダ、４ｂ…通し孔、４ｄ…錘収納部、４ｄ’…錘収納室、４ｆ…蓋、５…回転筒、６…エンドキャップ、７…筒状の部材。
【図１】
0003180355.tif 000003
【図２】
0003180355.tif 000004
【図３】
0003180355.tif 000005
【図４】
0003180355.tif 000006
【図５】
0003180355.tif 000007
【図６】
0003180355.tif 000008
【図７】
0003180355.tif 000009